(57)【特許請求の範囲】
【請求項１】
体幹部に配置した電流印加電極対と電圧計測電極対を使用して測定した体幹部インピーダンスを利用して体幹部脂肪組織量を求める体幹部脂肪測定方法において、
体幹部に広い電極面積を有する１つの共通電極を配置し、該共通電極を前記電流印加電極対及び前記電圧計測電極対の一方の電流印加電極及び電圧計測電極として共用することにより、測定に必要な電極の構成を電流印加電極、電圧計測電極及び共通電極の３つの電極とし、
前記共通電極を体幹腹部の一方の側腹部に配置し、
前記電流印加電極を、前記共通電極と対向する側の臍囲周上の臍横部、側腹部、肩甲骨下部又は腹直筋と外腹斜筋間の結合腱膜部上に配置し、
前記体幹部脂肪組織量は、体幹部内臓脂肪組織量であり、前記電圧計測電極を、前記電流印加電極による広がり抵抗の影響を回避できる距離を確保した位置に配置し、
前記共通電極の電極面積は、３６ｃｍ2以上であり、腹囲周方向の電極幅は、腹囲周の１／１０程度からそれ以上であり、体幹長さ方向に対しての電極長さは、３ｃｍ以上で体幹長の１／１０程度までであり、
前記電圧計測電極の位置は、前記電流印加電極−電圧計測電極間距離及び電圧計測電極間距離が電流印加電極間距離の１／３程度になるよう前記電流印加電極から１０ｃｍ程度以上離れた位置であることを特徴とする体幹部脂肪測定方法。
【請求項２】
体幹部に配置した電流印加電極対と電圧計測電極対を使用して測定した体幹部インピーダンスを利用して体幹部脂肪組織量を求める体幹部脂肪測定方法において、
体幹部に広い電極面積を有する１つの共通電極を配置し、該共通電極を前記電流印加電極対及び前記電圧計測電極対の一方の電流印加電極及び電圧計測電極として共用することにより、測定に必要な電極の構成を電流印加電極、電圧計測電極及び共通電極の３つの電極とし、
前記共通電極を体幹腹部の一方の側腹部に配置し、
前記電流印加電極を、前記共通電極と対向する側の臍囲周上の臍横部、側腹部、肩甲骨下部又は腹直筋と外腹斜筋間の結合腱膜部上に配置し、
前記体幹部脂肪組織量は、体幹部皮下脂肪組織量であり、前記電圧計測電極を、前記電流印加電極直下の広がり抵抗の影響が支配的な電流印加電極に近接した位置に配置し、
前記共通電極の電極面積は、３６ｃｍ2以上であり、腹囲周方向の電極幅は、腹囲周の１／１０程度からそれ以上であり、体幹長さ方向に対しての電極長さは、３ｃｍ以上で体幹長の１／１０程度までであり、
前記電圧計測電極の位置は、前記電流印加電極から１０ｃｍ未満の位置であることを特徴とする体幹部脂肪測定方法。
【請求項３】
体幹部に配置した電流印加電極対と電圧計測電極対を使用して測定した体幹部インピーダンスを利用して体幹部脂肪組織量を求める体幹部脂肪測定方法において、
体幹部に広い電極面積を有する１つの共通電極を配置し、該共通電極を前記電流印加電極対及び前記電圧計測電極対の一方の電流印加電極及び電圧計測電極として共用することにより、測定に必要な電極の構成を電流印加電極、電圧計測電極及び共通電極の３つの電極とし、
前記共通電極を体幹腹部の一方の側腹部に配置し、
前記電流印加電極を、前記共通電極と対向する側の臍囲周上の臍横部、側腹部、肩甲骨下部又は腹直筋と外腹斜筋間の結合腱膜部上に配置し、
前記体幹部脂肪組織量は、体幹部内臓脂肪組織量及び体幹部皮下脂肪組織量であり、前記電圧計測電極を、前記電流印加電極による広がり抵抗の影響を回避できる距離を確保した第１位置と、前記電流印加電極直下の広がり抵抗の影響が支配的な電流印加電極に近接した第２位置とにそれぞれ配置し、
前記共通電極の電極面積は、３６ｃｍ2以上であり、腹囲周方向の電極幅は、腹囲周の１／１０程度からそれ以上であり、体幹長さ方向に対しての電極長さは、３ｃｍ以上で体幹長の１／１０程度までであり、
前記電圧計測電極の第１位置は、前記電流印加電極−電圧計測電極間距離及び電圧計測電極間距離が電流印加電極間距離の１／３程度になるよう前記電流印加電極から１０ｃｍ程度以上離れた位置であり、
前記電圧計測電極の第２位置は、前記電流印加電極から１０ｃｍ未満の位置であることを特徴とする体幹部脂肪測定方法。
【請求項４】
体幹部に配置した電流印加電極対と電圧計測電極対を使用して測定した体幹部インピーダンスを利用して体幹部脂肪組織量を求める体幹部脂肪測定装置において、前記電流印加電極対及び前記電圧計測電極対の一方の電流印加電極及び電圧計測電極を兼用するように構成された広い電極面積を有する１つの共通電極を設け、それにより、測定に必要な電極の構成を電流印加電極、電圧計測電極及び共通電極の３つの電極とし、
前記共通電極の電極面積は、３６ｃｍ2以上であり、腹囲周方向の電極幅は、腹囲周の１／１０程度からそれ以上であり、体幹長さ方向に対しての電極長さは、３ｃｍ以上で体幹長の１／１０程度までであり、
前記共通電極が体幹腹部の一方の側腹部に配置され、
前記電流印加電極が、前記共通電極と対向する側の臍囲周上の臍横部、側腹部、肩甲骨下部又は腹直筋と外腹斜筋間の結合腱膜部上に配置され、
前記電圧計測電極は、前記電流印加電極による広がり抵抗の影響を回避できる距離を確保した第１位置に配置された第１電圧計測電極と、前記電流印加電極直下の広がり抵抗の影響が支配的な電流印加電極に近接した第２位置に配置された第２電圧計測電極を含み、
前記共通電極の電極面積は、３６ｃｍ2以上であり、腹囲周方向の電極幅は、腹囲周の１／１０程度からそれ以上であり、体幹長さ方向に対しての電極長さは、３ｃｍ以上で体幹長の１／１０程度までであり、
前記電圧計測電極の第１位置は、前記電流印加電極−電圧計測電極間距離及び電圧計測電極間距離が電流印加電極間距離の１／３程度になるよう前記電流印加電極から１０ｃｍ程度以上離れた位置であり、
前記電圧計測電極の第２位置は、前記電流印加電極から１０ｃｍ未満の位置であることを特徴とする体幹部脂肪測定装置。
【請求項５】
前記電流印加電極は、側腹部の複数の位置に配置された複数の電流印加電極を含むことを特徴とする請求項４に記載の体幹部脂肪測定装置。
【請求項６】
前記共通電極と前記電流印加電極との間に電流を印加した時の前記共通電極と前記電圧計測電極との間の電位差、又は、前記電圧計測電極それぞれとの間の電位差をそれぞれ測定し、印加した電流と測定した電位差とに基づいて体幹部インピーダンスを測定する手段を備えることを特徴とする請求項４〜５の何れか１つに記載の体幹部脂肪測定装置。
【請求項７】
前記測定手段は、前記測定した体幹部インピーダンスを利用して電流印加電極に近接した部位における皮下脂肪組織層インピーダンスを求めることを特徴とする請求項６に記載の体幹部脂肪測定装置。
【請求項８】
身体特定化情報に基づいて体幹部骨格筋組織量を推定し、該推定した体幹部骨格筋組織量と身体特定化情報とに基づいて体幹部骨格筋組織層のインピーダンスを推定する体幹部骨格筋組織層インピーダンス推定手段と、身体特定化情報に基づいて体幹部の内臓器組織量を推定し、該推定した体幹部の内臓器組織量と身体特定化情報とに基づいて体幹部の内臓器組織のインピーダンスを推定する体幹部内臓器組織インピーダンス推定手段と、前記測定手段によって測定した体幹部インピーダンスと、前記推定した体幹部骨格筋組織層のインピーダンス及び体幹部の内臓器組織のインピーダンスに基づいて体幹部内臓脂肪組織のインピーダンスを推定する体幹部内臓脂肪組織インピーダンス推定手段と、前記推定した体幹部内臓脂肪組織のインピーダンスと身体特定化情報とに基づいて体幹部内臓脂肪組織量を推定する体幹部内臓脂肪組織量推定手段とを更に備えることを特徴とする請求項６に記載の体幹部脂肪測定装置。
【請求項９】
前記体幹部内臓脂肪組織インピーダンス推定手段は、体幹部の電気的等価回路が、前記体幹部の内臓器組織のインピーダンスと前記体幹部内臓脂肪組織のインピーダンスとの直列回路に対して前記体幹部骨格筋組織層のインピーダンスが並列に接続されたものとしている請求項８に記載の体幹部脂肪測定装置。
【請求項１０】
前記求めた皮下脂肪組織層インピーダンスと身体特定化情報に基づいて体幹部の皮下脂肪組織量を求める皮下脂肪組織量推定手段を更に備える請求項７に記載の体幹部脂肪測定装置。
【発明の詳細な説明】
【技術分野】
【０００１】
本発明は、体幹部脂肪測定方法及び装置に関し、特に、体幹部皮下脂肪量及び体幹部内臓脂肪量を測定する方法及び装置に関する。
【背景技術】
【０００２】
生体電気インピーダンスを利用した体脂肪組織の推定技術は、体脂肪組織量及び体脂肪率を計測する技術として世に広がってきたが、実際には、脂肪組織を直接的に測定するものとはなっておらず、脂肪組織以外の水が支配的な除脂肪組織を電気的に計測したものである。特に、全身（Whole Body）計測では、旧来のタイプでは仰臥位姿勢で片手-片足間を一つの円柱でモデル化している(片手-片足間誘導法)し、簡易型としては、立位姿勢で測定する両掌間誘導法や、体重計と一体になった両脚裏間誘導法、上肢と下肢又は、上肢と下肢と体幹、又は、左右上肢、左右下肢、体幹の様に５セグメントに分けて個別に円柱モデルを適用可能としてインピ−ダンスを計測した技術も顕在化してきている。また、インピ−ダンスＣＴ計測技術を簡略して体幹部臍囲に電圧印加・電圧計測電極を配置して腹部のインピ−ダンスを計測し、内臓脂肪組織量を推定する計測技術について、特許出願がなされている（特許文献１及び特許文献２参照）。
【０００３】
【特許文献１】特許第３３９６６７７号
【特許文献２】特許第３３９６６７４号
【発明の開示】
【発明が解決しようとする課題】
【０００４】
しかし、体脂肪組織の情報は、糖尿病や高血圧及び高脂血症などの生活習慣病のスクリ−ニング用としての有用性が特に問われており、中でも内臓器組織近辺に付着、蓄積した内臓脂肪組織に関して、その計測の重要性が日に日に高まってきている。
【０００５】
内臓脂肪組織は、体幹の腹部付近に集中的に分布する脂肪組織で、Ｘ線ＣТやＭＲＩ等による腹部横断画像を用いてその脂肪組織の横断面積で判断されてきていた。しかし、装置が大掛かりで、また、Ｘ線の場合被曝の問題もあり、費用面もあり、フィールド及び家庭用での計測に適さない。そこで、内臓脂肪組織は、全身脂肪組織との相関又は、全身の除脂肪組織との相関からの推定するのが一般的で、スクリーニング用としても、十分な信頼性を確保するにいたらなかった。
【０００６】
最近では、体幹部の臍囲周辺に電極を配置し、体幹部の内部インピ−ダンスを計測して、内臓脂肪組織情報を推定するといった方法も開発中である。しかしながら、この方法は、骨格筋組織層と皮下脂肪組織層と内臓脂肪組織の間に有意な相関が存在することに基づくものであり、いずれかの組織層の情報が捕捉出来ればおおよその情報の推定が可能であることを前提とするものである。このため、非常に有意な相関が存在し得る自立性の高い健康域の被験者については良好な結果が期待できるが、各組織間の相関が異なる対象者、例えば、内臓脂肪組織が顕著に肥大し、かつ、皮下脂肪組織層や骨格筋組織層との相関性が顕著に低い被験者における計測結果については大きな誤差を含んだものとなり得る。つまり、この開発中の方法にあっても、健康な自立生活が可能な被験者であれば、臍部全周囲のどこに電極を配置しても何とか計測の可能性は考えられるが、麻痺・介護患者等、特にベッド上の寝たきり患者での計測となると課題が大きい。
【０００７】
また、この開発中の方法は、測定対象としている組織部位を腹部表面から電流を印加通電させて、内部の組織に関連するインピ−ダンス値を取得している点で高い技術と言えるが、測定部位である体幹部が有する内部構造上の問題から、測定されたインピ−ダンス情報そのものが内臓脂肪組織に対してほとんど有用な感度を有していないのが実情である。即ち、測定部位である体幹部は太短く、多重構造、つまり、測定対象である内臓脂肪組織は内臓器組織や背骨組織とともに非常に良好な導電性を示す骨格筋組織層で覆われ、更に、この骨格筋組織層は導電性が非常に悪い皮下脂肪組織層で覆われているといった構造になっている。特に、測定対象である内臓脂肪組織周辺は、骨格筋組織層より導電性が劣る内臓器組織とこの内臓器組織に付着、蓄積した導電性が悪い内臓脂肪組織が支配的で、かつ、複雑な構成のため、骨格筋組織層より内部の導電性はかなり劣るものとなっている。このため、単純に電流印加電極を腹周囲に配置したとしても、大半は、骨格筋組織層を通じた通電になり、電流密度分布も、骨格筋組織層に支配的な電位分布として表面計測電極から観測されることになる。更に、電流印加電極の表面積又は腹周囲方向への電極幅で印加電流密度の分布が決まり、電極直下の皮下脂肪組織層における電流密度が高い広がり抵抗領域での情報の観測が支配的となってしまう。
【０００８】
更に言えば、測定部位である体幹部は太短いため、電流印加電極直下の電流密度集中（広がり抵抗）領域の皮下脂肪組織層における感度が高くなり、更に、骨格筋組織層は脂肪組織に比べて導電性が相当高いことから、皮下脂肪組織層を通過した電流の大半が骨格筋組織層を介して対向する電流印加電極側へ皮下脂肪組織層を通って戻るル−トを取り、結果的に、内部での電位分布はこの骨格筋組織層で大幅に歪められてしまう。よって、従来の方法では、測定される電位の大半は、皮下脂肪組織層の情報となってしまい、測定対象である内臓脂肪組織、即ち、内臓器組織及びその周囲に付着、蓄積する内臓脂肪組織への通電はほとんど期待できず、全インピ−ダンス計測区間の１０％以下の極めて計測感度の低い情報しか捕捉出来ていないのである。
【０００９】
これらの問題を回避するために、皮下脂肪組織層面積と相関性が高い腹囲長を推定式に組み込むことで、その推定誤差の拡大を防止する方法も考えられてはいるが、この方法はあくまで構成組織間の相関性による間接推定にほかならず、腹部中央に必要な通電感度を確保した計測法とは言いづらい。つまり、統計的相関デザインからずれる個々人の誤差は、保証出来ず、特に病的に皮下や内臓の脂肪組織が多い場合や、中間の骨格筋組織層が多い/少ない場合などは顕著な誤差が生じ得る。尚、皮下脂肪組織層面積が腹囲長と相関性が高いのは、人間の体幹は同心円上の組織配列デザインとなっており、皮下脂肪組織層は、最も外側の配置であるため、外周囲長と皮下脂肪組織厚でその面積が決まることになるからである。
【００１０】
体幹に対しての電極配置にも通常は、四電極法が用いられる。この方法は、被験者の体内に電流を印加するとともに、印加電流によって被験者の測定部位区間に生じた電位差を測定して測定部位区間の生体電気インピーダンスを測定するというものである。体幹部のような太短い測定部位区間に四電極法を適用した場合、電流の広がり始めの電流密度集中（即ち、広がり抵抗領域）が、例えば、電流印加電極直下の、皮下脂肪組織層付近で大きな電位差を生じ、この電位差が、電圧計測電極間で計測される電位差の大半を占めることになる。この広がり抵抗による影響を小さくするためには、電流印加電極と電圧計測電極の間の距離を十分確保して配置することが重要である。一般的な測定は、測定区間が長く電圧計測電極間距離が十分確保できる条件での測定であるため、いわゆるＳ／Ｎ感度（Ｎは広がり抵抗による影響（ノイズ）、Ｓは電圧計測電極間で計測される信号）は十分確保されるはずである。しかしながら、体幹部のような太短い測定部位の場合は、Ｎを小さくすべく、電流印加電極からの距離を確保しようとして電圧計測電極を遠ざけると、逆に、電圧計測電極区間距離が小さくなり、この結果、Ｓが小さくなって、結局、Ｓ／Ｎは悪くなってしまう。更に、電流密度が高い広がり抵抗部は、皮下脂肪組織層であり、厚味がある肥満傾向の被験者が一般的であるため、かなり大きなＮとなってしまい、二重にＳ／Ｎが悪くなってしまう。このように、体幹部のような太短い測定部位に対して四電極法を用いる場合には、単に臍囲周上に電極を配置しただけでは、内臓脂肪組織への有用なＳ／Ｎ感度を確保することにかなり無理があると推測される。尚、Ｓ／Ｎに関しては、後述する実施例についての説明において更に詳述する。
【００１１】
そこで、測定対象の体幹腹部に四電極をすべて配置する誘導法の場合に、骨格筋組織層を外す腱膜部の窓部に電流印加電極を配置したり、骨格筋組織層を導電層として利用するために電極配置上の制限を与えたりすることが考えられている。しかしながら、この場合には、電極配置における誤差が、測定精度に厳格に影響を及ぼす要因となっている。
【００１２】
また、測定対象の体幹腹部以外の四肢等へ可能な限り電極配置をシフトする（四肢のような体幹から突出した部位に電極を配置することで、四肢を体幹からのリード線の代用と考える誘導法）中で、上記制限の軽減化を実現してきたが、反面、体幹から突出する四肢配置構造の制限から、体幹腹部の測定対象部位を全く自由に選択することができなかった。
【００１３】
本発明の目的は、これら従来技術における問題点を解消することにあり、厳格な電極配置の制限を排除して電極の体幹腹部への配置ズレによる影響を軽減するとともに、体幹部に蓄積される脂肪組織、特に、内臓器組織周辺に付着、蓄積する内臓脂肪組織及び皮下層に蓄積する皮下脂肪組織層の情報を高精度で簡便に測定可能とする体幹部脂肪測定方法及び装置を提供することである。
【課題を解決するための手段】
【００１４】
本発明の一つの観点によれば、体幹部に配置した電流印加電極対と電圧計測電極対を使用して測定した体幹部インピーダンスを利用して体幹部脂肪組織量を求める体幹部脂肪測定方法において、体幹部に広い電極面積を有する１つの共通電極を配置し、該共通電極を前記電流印加電極対及び前記電圧計測電極対の一方の電流印加電極及び電圧計測電極として共用することにより、測定に必要な電極の構成を電流印加電極、電圧計測電極及び共通電極の３つの電極としたことを特徴とする体幹部脂肪測定方法が提供される。
【００１５】
本発明の一つの実施の形態によれば、前記共通電極を体幹腹部の一方の側腹部に配置し、前記電流印加電極を対向する側腹部側に配置する。
【００１６】
本発明の別の実施の形態によれば、前記電流印加電極を、前記共通電極と対向する側の臍囲周上の臍横部、側腹部、肩甲骨下部又は腹直筋と外腹斜筋間の結合腱膜部上に配置する。
【００１７】
本発明の別の実施の形態によれば、前記体幹部脂肪組織量は、体幹部内臓脂肪組織量であり、前記電圧計測電極を、前記電流印加電極による広がり抵抗の影響を回避できる距離を確保した位置に配置する。
【００１８】
本発明の更に別の実施の形態によれば、前記共通電極と前記電流印加電極との間に電流を印加した時の前記共通電極と前記電圧計測電極との間の電位差を測定し、印加した電流と測定した電位差とに基づいて体幹部インピーダンスを測定する。
【００１９】
本発明の更に別の実施の形態によれば、身体特定化情報に基づいて体幹部骨格筋組織量を求め、該求めた体幹部骨格筋組織量と身体特定化情報とに基づいて体幹部骨格筋組織層のインピーダンスを求め、身体特定化情報に基づいて体幹部の内臓器組織量を求め、該求めた体幹部の内臓器組織量と身体特定化情報とに基づいて体幹部の内臓器組織のインピーダンスを求め、前記測定した体幹部インピーダンスと、前記求めた体幹部骨格筋組織層のインピーダンス及び体幹部の内臓器組織のインピーダンスとに基づいて体幹部内臓脂肪組織のインピーダンスを求め、該求めた体幹部内臓脂肪組織のインピーダンスと身体特定化情報とに基づいて体幹部内臓脂肪組織量を求める各段階を更に含む。
【００２０】
本発明の更に別の実施の形態によれば、前記測定した体幹部インピーダンスと、前記求めた体幹部骨格筋組織層のインピーダンス及び体幹部の内臓器組織のインピーダンスとに基づいて体幹部内臓脂肪組織のインピーダンスを求める段階は、体幹部の電気的等価回路が、前記体幹部の内臓器組織のインピーダンスと前記体幹部内臓脂肪組織のインピーダンスとの直列回路に対して前記体幹部骨格筋組織層のインピーダンスが並列に接続されたものとしている。
【００２１】
本発明の更に別の実施の形態によれば、前記体幹部脂肪組織量は、体幹部皮下脂肪組織量であり、前記電圧計測電極を、前記電流印加電極直下の広がり抵抗の影響が支配的な電流印加電極に近接した位置に配置する。
【００２２】
本発明の更に別の実施の形態によれば、前記共通電極と前記電流印加電極との間に電流を印加した時の前記共通電極と前記電圧計測電極との間の電位差を測定し、印加した電流と測定した電位差とに基づいて体幹部インピーダンスを測定することによって電流印加電極に近接した部位における皮下脂肪組織層インピーダンスを求める。
【００２３】
本発明の更に別の実施の形態によれば、前記求めた皮下脂肪組織層インピーダンスと、身体特定化情報に基づいて体幹部の皮下脂肪組織量を求める。
【００２４】
本発明の更に別の実施の形態によれば、前記体幹部脂肪組織量は、体幹部内臓脂肪組織量及び体幹部皮下脂肪組織量であり、前記電圧計測電極を、前記電流印加電極による広がり抵抗の影響を回避できる距離を確保した第１位置と、前記電流印加電極直下の広がり抵抗の影響が支配的な電流印加電極に近接した第２位置とにそれぞれ配置する。
【００２５】
本発明の更に別の実施の形態によれば、前記共通電極と前記電流印加電極との間に電流を印加した時の、前記共通電極と前記第１位置及び第２位置に配置された電圧計測電極との間の電位差をそれぞれ測定し、印加した電流と測定した電位差とに基づいて体幹部インピーダンスを測定する。
【００２６】
本発明の更に別の実施の形態によれば、前記体幹部インピーダンスを測定する段階は、前記電流印加電極を側腹部側の複数の位置に配置した場合において、それぞれ体幹部インピーダンスを測定する。
【００２７】
本発明の更に別の実施の形態によれば、前記体幹部インピーダンスを測定する段階は、体幹部内臓脂肪組織量を求める場合には、前記共通電極と前記第１位置に配置された電圧計測電極との間の電位差に基づいて体幹部インピーダンスを測定し、体幹部皮下脂肪組織量を求める場合には、前記共通電極と前記第１位置に配置された電圧計測電極との間の電位差と、前記共通電極と前記第２位置に配置された電圧計測電極との間の電位差との間の差、又は、前記第１位置と前記第２位置に配置された電圧計測電極との間の電位差に基づいて体幹部インピーダンスを測定し、電流印加電極に近接した部位における皮下脂肪組織層インピーダンスを求める。
【００２８】
本発明の更に別の実施の形態によれば、前記内臓脂肪組織量を求める場合には、身体特定化情報に基づいて体幹部骨格筋組織量を求め、該求めた体幹部骨格筋組織量と身体特定化情報とに基づいて体幹部骨格筋組織層のインピーダンスを求め、身体特定化情報に基づいて体幹部の内臓器組織量を求め、該求めた体幹部の内臓器組織量と身体特定化情報とに基づいて体幹部の内臓器組織のインピーダンスを求め、前記測定した体幹部インピーダンスと、前記求めた体幹部骨格筋組織層のインピーダンス及び体幹部の内臓器組織のインピーダンスとに基づいて体幹部内臓脂肪組織のインピーダンスを求め、該求めた体幹部内臓脂肪組織のインピーダンスと身体特定化情報とに基づいて体幹部内臓脂肪組織量を求める各段階を更に含む。
【００２９】
本発明の更に別の実施の形態によれば、前記測定した体幹部インピーダンスと、前記求めた体幹部骨格筋組織層のインピーダンス及び体幹部の内臓器組織のインピーダンスとに基づいて体幹部内臓脂肪組織のインピーダンスを求める段階は、体幹部の電気的等価回路が、前記体幹部の内臓器組織のインピーダンスと前記体幹部内臓脂肪組織のインピーダンスとの直列回路に対して前記体幹部骨格筋組織層のインピーダンスが並列に接続されたものとしている。
【００３０】
本発明の更に別の実施の形態によれば、前記皮下脂肪組織量を求める場合は、側腹部の複数の部位について前記皮下脂肪組織層インピーダンスを求め、該求めた各部位の皮下脂肪組織層インピーダンスに基づいて体幹部の皮下脂肪組織層インピーダンスを求める段階を更に含む。
【００３１】
本発明の別の観点によれば、体幹部に配置した電流印加電極対と電圧計測電極対を使用して測定した体幹部インピーダンスを利用して体幹部脂肪組織量を求める体幹部脂肪測定装置において、前記電流印加電極対及び前記電圧計測電極対の一方の電流印加電極及び電圧計測電極を兼用するように構成された広い電極面積を有する１つの共通電極を設け、それにより、測定に必要な電極の構成を電流印加電極、電圧計測電極及び共通電極の３つの電極としたことを特徴とする体幹部脂肪測定装置が提供される。
【００３２】
本発明の一つの実施の形態によれば、前記共通電極が体幹腹部の一方の側腹部に配置され、前記電流印加電極が対向する側腹部側に配置されている。
【００３３】
本発明の別の実施の形態によれば、前記電流印加電極が、前記共通電極と対向する側の臍囲周上の臍横部、側腹部、肩甲骨下部又は腹直筋と外腹斜筋間の結合腱膜部上に配置されている。
【００３４】
本発明の更に別の実施の形態によれば、前記電圧計測電極は、前記電流印加電極による広がり抵抗の影響を回避できる距離を確保した第１位置に配置された第１電圧計測電極と、前記電流印加電極直下の広がり抵抗の影響が支配的な電流印加電極に近接した第２位置に配置された第２電圧計測電極を含む。
【００３５】
本発明の更に別の実施の形態によれば、前記電流印加電極は、側腹部の複数の位置に配置された複数の電流印加電極を含む。
【００３６】
本発明の更に別の実施の形態によれば、前記共通電極と前記電流印加電極との間に電流を印加した時の前記共通電極と前記電圧計測電極との間の電位差、又は、前記電圧計測電極それぞれとの間の電位差をそれぞれ測定し、印加した電流と測定した電位差とに基づいて体幹部インピーダンスを測定する手段を備える。
【００３７】
本発明の更に別の実施の形態によれば、前記測定手段は、前記測定した体幹部インピーダンスを利用して電流印加電極に近接した部位における皮下脂肪組織層インピーダンスを求める。
【００３８】
本発明の更に別の実施の形態によれば、身体特定化情報に基づいて体幹部骨格筋組織量を推定し、該推定した体幹部骨格筋組織量と身体特定化情報とに基づいて体幹部骨格筋組織層のインピーダンスを推定する体幹部骨格筋組織層インピーダンス推定手段と、身体特定化情報に基づいて体幹部の内臓器組織量を推定し、該推定した体幹部の内臓器組織量と身体特定化情報とに基づいて体幹部の内臓器組織のインピーダンスを推定する体幹部内臓器組織インピーダンス推定手段と、前記測定手段によって測定した体幹部インピーダンスと、前記推定した体幹部骨格筋組織層のインピーダンス及び体幹部の内臓器組織のインピーダンスとに基づいて体幹部内臓脂肪組織のインピーダンスを推定する体幹部内臓脂肪組織インピーダンス推定手段と、前記推定した体幹部内臓脂肪組織のインピーダンスと身体特定化情報とに基づいて体幹部内臓脂肪組織量を推定する体幹部内臓脂肪組織量推定手段とを更に備える。
【００３９】
本発明の更に別の実施の形態によれば、前記体幹部内臓脂肪組織インピーダンス推定手段は、体幹部の電気的等価回路が、前記体幹部の内臓器組織のインピーダンスと前記体幹部内臓脂肪組織のインピーダンスとの直列回路に対して前記体幹部骨格筋組織層のインピーダンスが並列に接続されたものとしている。
【００４０】
本発明の更に別の実施の形態によれば、前記求めた皮下脂肪組織層インピーダンスと、身体特定化情報に基づいて体幹部の皮下脂肪組織量を求める皮下脂肪組織量推定手段とを更に備える。
【００４１】
よって、本発明によれば、共通電極の電極面積が広いため、体幹腹部への配置ズレによる影響が軽減できる。共通電極側に対する厳格な電極配置制限が排除され、他方の電流印加電極に対する電極配置制限のみとなるので、電極配置ズレに影響を全体として軽減できる。また、測定部位への意識付けを高めることができる。よって、意識的拘束による精度向上も合わせて期待できる。また、電極面積を広げることで、皮膚との接触抵抗による影響と電流印加電極直下の広がり抵抗の影響を軽減及び無視することができる。
【発明を実施するための最良の形態】
【００４２】
本発明の実施の形態及び実施例について詳細に説明する前に、本発明による体幹部の内臓脂肪組織測定の原理について説明する。本発明は、基本的には、生体電気インピーダンス情報と身体特定化情報を用いて、体幹部（体幹腹部）の脂肪組織情報(横断面積量、体積量又は重量)、更に言えば、体幹部に蓄積される脂肪組織、特に内臓器組織周辺に付着、蓄積する内臓脂肪組織及び皮下層に蓄積する皮下脂肪組織層情報を、高精度で簡便に測定可能とする方法等に関する。
【００４３】
本発明は、このため次のような手法を駆使する。
（１）体幹部の生体電気インピーダンス情報に含まれる組織情報を、骨格筋組織層と内臓器組織と内臓脂肪組織で直並列の等価回路モデルを仮定すること。ここでは内臓器組織と内臓脂肪組織を直列に考える（したがって、内臓脂肪組織の大小により通電量の変化を期待できる）。
【００４４】
（２）腹囲長が身体特定化情報として確保できる場合は、皮下脂肪組織量も、等価回路モデルに含めた、高精度モデルとして、皮下脂肪組織層と骨格筋組織層と内臓器組織と内臓脂肪組織で直並列の等価回路モデルを仮定すること。
【００４５】
（３）皮下脂肪組織量推定は、身体特定化情報のうち腹囲長を主の説明変数とした重回帰式で構成されること。更には、腹囲長の二乗を主体的説明変数と置くこと。
【００４６】
（４）内臓器組織情報の確定は、身体特定化情報のうち、身長情報が主体的な説明変数とした重回帰式で構成し、内臓脂肪組織情報推定のための未確定情報の確定に用いる。
【００４７】
（５）各組織を定量化するための重回帰分析（検量線作成手法）に用いる組織の基準測定は、臍位でのＸ線ＣＴ断層画像からの組織横断面積（ＣＳＡ）やＭＲＩ法によるＣＳＡ及び体幹部全体でのＤＥＸＡ法、ＭＲＩ法（長さ方向へ、スライス毎の積分処理）を用いた組織体積量，重量（体積量から重量への変換は、先行研究による組織密度情報より算出可能）で実現できる。ＤＥＸＡ法では、腹部内臓脂肪組織と皮下脂肪組織層の合計の総脂肪組織情報を基準測定できる。
【００４８】
（６）上記のような手法を用いて内臓脂肪組織の情報を高精度に捕捉可能とするためには、呼吸等による体幹部の計測インピ−ダンス情報の変動を一定条件値に置き換える手立てが必要となり、インピーダンス計測サンプリング周期を一般的な呼吸周期の１／２以内とし、呼吸変化を時系列的にモニタリングして、呼吸周期及び呼吸周期毎の最大値と最小値を呼吸周期毎に判別し、安静呼吸の中央値を捕捉可能とすること。
【００４９】
（７）更に、測定前の飲食及び膀胱尿の貯留などによる悪影響の事前チェックも、計測インピーダンス情報より可能とする。一般に、体幹部のインピーダンス値は、健康な一般的な被験者集団では、骨格筋組織層の情報が支配的に反映される。また、体幹部の骨格筋組織層の情報は、測定値としては非常に小さく個々人毎で大きな違いが認められない。理由は、地球重力下で自重を支えて発達する抗重力筋との相関の高いデザインとなるため、特別に寝たきりで重力の影響を受けない被験者とか、自重の数倍のストレスが加わる種目のアスリートなど、特殊な集団以外ではほぼ身体サイズで決定されてしまうためである。ここで、骨格筋組織層及び前記呼吸変動以外で体幹部のインピーダンスに影響が大きいのは、飲食及び膀胱尿の貯留などによる悪影響である。よって、集団デ−タとして体幹部のインピーダンス値を収集し、平均値[mean]と偏差[SD]で見ると、飲食及び膀胱尿の貯留などによる影響は、２ＳＤを超える範囲にあることがわかった。ただ、ある程度のアスリート等の準一般的集団まで踏まえると、３ＳＤをクライテリアとすることで、本影響のスクリーニングを可能と出来る。
【００５０】
次に、前述したような手法に基づく本発明の測定原理につき、更に詳述する。
【００５１】
１．体幹部構成組織の電気的等価回路モデル化
（１）体幹部は、主として、皮下脂肪組織層と、骨格筋組織層(腹筋群、背筋群)と、内臓器組織とその隙間に付着する内臓脂肪組織から成ると考えることが出来る。骨組織を構成組織として挙げていないのは、骨組織は骨格筋組織層と量的相関が非常に高く、一体の組織体として考えられるからである。体積抵抗率も、生体内では骨髄組織なども含めることでかなり導電性が良く、骨格筋組織層や内臓器組織に近い特性を有するものと考えられる。よって、この４組織を電気的な等価回路モデルで表すと、内臓器組織と内臓脂肪組織を直列に構成し、その直列の複合組織層に対して、皮下脂肪組織層及び骨格筋組織層がそれぞれ並列に構成される。この等価回路モデルについては、図６〜図８についての説明において詳述する。このモデルによると、体幹部の長さ方向への通電に対しては、骨格筋組織層に支配的に電流が流れる。内臓脂肪組織は、内臓器組織の周辺の隙間に付着することから、内臓脂肪組織が無い時、又は少ない時、内臓器組織が骨格筋組織層に近い導電性を示すことから、内臓器組織側にも電流が通電されることになる。また、内臓脂肪組織が多くなるほど、内臓器組織と内臓脂肪組織の複合体としての複合組織層への通電量が低下してゆくことになる。体幹部の計測インピーダンスと、それを構成する４組織を等価回路モデルで表した時のモデル式は、下記の様に表現できる。
Ztm = ZFS／／ZMM／／(ZVM+ZFV) ・・・式１
ここで、
体幹部全体のインピーダンス:Ztm
皮下脂肪組織層のインピーダンス:ZFS・・・体積抵抗率は、大きい。
骨格筋組織層のインピーダンス:ZMM・・・体積抵抗率は、小さい。
内臓器組織のインピーダンス:ZVM・・・骨格筋組織層に近い体積抵抗率と考えられている。
内臓脂肪組織のインピーダンス:ZFV・・・体積抵抗率は、皮下脂肪組織層と同等かそれよりも、やや小さ目と考えられる。脂肪組織の合成分解が皮下脂肪組織層に比べて速いことから、組織内血管及び血液量が多いものと考えられる。
【００５２】
組織間の電気的特性は、インピーダンスよりはむしろ体積抵抗率ρ［Ωｍ］で決まる。上の関係から、各組織の電気的特性値は一般に以下の関係で説明される。
ρMM＜＜ρ（VM＋FV）＜ρFS
ρVM＜＜ρFV
ρMM＝ρMV、若しくは、ρMM＜ρMV
ρFV＝ρFS、若しくは、ρFV＜ρFS
ここで、
皮下脂肪組織層の体積抵抗率:ρFS
骨格筋組織層の内側の内臓器組織と内臓脂肪組織の複合組織層の体積抵抗率:ρ（VM＋FV）
骨格筋組織層の体積抵抗率:ρMM
よって、式１との関連により、各組織間の電気的特性の比較関係は、
ZFS ＞＞(ZVM+ZFV) ＞＞ ZMM・・・式２
となる。
【００５３】
（２）後述するように、本発明と共に使用する電極配置法によれば、電気的等価回路モデルは、図８に示すように表現できる。すなわち、
Ztm = 2 ＊ ZFS+ZMM//(ZVM+ZFV) ・・・式３
さらに、本発明と共に使用する電極配置法によれば、電流印加電極近辺の広がり抵抗の影響を無視できるまで離して配置しているため皮下脂肪組織層の分離除去することでき、式３は次のように表される。
Ztm = ZMM//(ZVM+ZFV) ・・・式４
【００５４】
２．体幹部骨格筋組織横断面積量[AMM]及び体幹部骨格筋組織層インピーダンス[ZMM]の推定
（３）骨格筋組織量は、横断面積量と体積量に高い相関が考えられるため、ここでは横断面積量で考える。体幹腹部の骨格筋組織層の横断面積量AMMは、身体特定化情報でおおよそ推定できる。理由は、身体の骨格筋組織層の発達デザインは、地球重力下で自重を支えるための発達・適応でほとんど決まってしまうからである。よって、アスリ−トとか、麻痺患者や介護者などの重力非適応者を除けば、身体特定化情報で推定可能となる。この推定は、身長Ｈ、体重Ｗ、年齢Ａｇｅを以下の式に代入することによって行う。
AMM=a*H+b*W+c*Age+d・・・式５
ここで、a、b、c、dは、男女で別の値を与える定数である。
【００５５】
（４）体幹部骨格筋組織層インピーダンス[ZMM]は、体幹部骨格筋組織横断面積量[AMM]を用いて、次の式で表すことができる。
ZMM=a0*H/AMM+b0・・・式６
ここで、a0、b0は、定数である。
【００５６】
３．内臓器組織量[AVM]及び内臓器組織インピーダンス[ZVM]の推定
（５）体幹部の内臓器組織量[AVM]は、身長、体重、性別、年齢等の身体(個人)特定化情報から推定することが出来る。説明変数の中で、身長項の影響が大きい。
内臓器組織量[AVM] = a1＊身長[H]+ b1＊体重[W] + c1＊年齢[Age] + d1・・・式７
ここで、a1、b1、c1、d1は、男女で別の値を与える定数である。
【００５７】
（６）次に、内臓器組織のインピーダンスZVMを推定する。
内臓器組織のインピーダンスZVMは、身長、体重、性別、年齢等の身体(個人)特定化情報から推定することが出来る。説明変数の中で、身長項の影響が大きい。便宜上、ここでは上で求めた内臓器組織量AVMを利用する。この推定は、以下の式を用いて行うことができる。
ZVM=a２＊H/AVM＋b２・・・式８
ここで、a２、b２は、定数である。
【００５８】
４．内臓脂肪組織インピーダンス[ZFV]及び内臓脂肪組織量[AFV]の推定
（７）次に、内臓脂肪組織のインピーダンスZFVを推定する。
式４を変形すると、
1／Ztm ＝ 1／ZMM + 1／(ZVM+ZFV) ・・・式９
式９からZFVを誘導すると、次のようになり、内臓脂肪組織の情報を有するインピーダンス情報を求めることができる。
ZFV＝ 1／[ 1／Ztm−1／ZMM] − ZVM・・・式１０
本式において、Ztmは実測値である。また、体幹部骨格筋組織層インピーダンスZMMと内臓器組織のインピ−ダンスZVMは、上述したように身体特定化情報により推定できるので、その推定値を代入することで、ZFVが抽出できる。すなわち、式１０に、式６及び式８を代入することによって、算出できる。
【００５９】
（８）内臓脂肪組織量AFVは、ここでは内臓脂肪組織横断面積として取り扱う。内臓脂肪組織量AFVは、上記インピーダンス情報と身長情報から算出することができ、
AFV＝aa＊H/ZFV＋bb・・・式１１
ここで、aa、bbは定数である。
【００６０】
５．皮下脂肪組織量[AFS]の推定
（９）体幹部の皮下脂肪組織量AFSは、皮下脂肪組織層のインピーダンス情報ZFSと腹囲長Lwから推定することが出来る。
皮下脂肪組織量[AFS] = aa0＊ZFS＊Lw＋bb0・・・式１２
ここで、aa0、bb0は、定数である。
【００６１】
６．体幹部内臓脂肪／皮下脂肪比[V／S]の推定
（10）内臓脂肪／皮下脂肪比[V／S]は、式１２からの皮下脂肪組織量[AFS]と式１１からの内臓脂肪組織量[AFV]から求めることが出来る。
V／S=AFV／AFS・・・式１３
【００６２】
７．体幹部のインピーダンスによる内臓器組織異常判定の考え方
（11）内臓脂肪組織量推定に必要な体幹部のインピーダンスZtmは、呼吸及び飲食等により変動が大きな部位でもあることから、安定性及び信頼性の高い情報の計測が必要となる。よって、次の様な処理を加えることで、信頼性の高い体幹部のインピーダンス情報を確保出来る。また、一部体幹の体液分布の乱れに関連する情報としての視点から、体幹部の組織異常の判定も可能と出来る。
【００６３】
（12）呼吸による変動の影響除去処理
（ａ）一般的な呼吸周期時間の１／２より短いサンプリング周期で、体幹部のインピーダンスを測定する。
（ｂ）サンプリング毎の測定デ−タに対して移動平均等によるスムージング処理を施す。
（ｃ）処理後の時系列データより、呼吸の周期性と周期毎の最大値と最小値を検出する。
（ｄ）毎周期毎の最大値と最小値を各々別個に平均処理する。
（ｅ）最大値と最小値の平均処理後の値を平均して、呼吸の中央値を算出する。
（ｆ）呼吸周期毎の呼吸の中央値が規定回数規定以内の安定域に入った時点で、呼吸中央値確定と判断し、確定した中央値のインピ-ダンス値を体幹部のインピーダンス値として登録し、測定を完了とする。
【００６４】
（13）飲食及び膀胱等への水分貯留(尿等)による異常値判定処理
（ａ）体幹部のインピーダンスは、26.7±4.8Ω(mean±SD)が集団の一般的な値となる。
（ｂ）反面、便秘及び膀胱尿の貯留や胃での飲食物の充満時の値は、mean±3SDの範囲を超える。
（ｃ）よって、３ＳＤを超える測定値が得られる場合には、飲食及び膀胱尿等の影響の可能性を被験者へ報知し、最善の環境で測定に望んで貰う様促す。ただし、実際にこれらの影響なしに骨格筋組織層発達及び内臓器組織が標準サイズとは異なる被験者においては、測定を継続出来る様に進める。
（ｄ）さらに、測定感度を上げる方法としては、性別、体重、身長別で規定値を細分化する。又は、体重で割るか、身長で割って単位別の値として規定値を規定する。
【００６５】
次に、前述したような本発明の測定原理に基づいて、本発明による体幹部脂肪測定方法及び装置の実施例について説明する。
【００６６】
図１は、本発明による体幹部脂肪測定装置の一実施例の外観を示す概略斜視図であり、図２は、図１の装置を用いて体幹部脂肪すなわち体幹内臓脂肪及び体幹皮下脂肪を測定する場合における使用形態を説明するための概略図である。図３及び図４は、図１の装置の主要な構成（電極を除く）を示すブロック図である。因みに、図１の装置では、電流印加電極１３及び電圧計測電極１４がそれぞれ３個ずつ設けられているのに対し、図３のブロック図では、電流印加電極１３及び電圧計測電極１４がそれぞれ１個ずつ設けられ、図４のブロック図では、電流印加電極１３及び電圧計測電極１４がそれぞれ２個ずつ設けられている。
【００６７】
本発明の体幹部脂肪測定装置１は、本体部１１と、左右のグリップ部１３０及び１４０とから成る。グリップ部１３０及び１４０と本体部１１とは、体幹腹部に密着可能とするためにフレキシビリティを持つジョイント材を介して接続されている。グリップ部１３０、１４０は、図２に示すように、グリップＧを各手に持って、それらを被験者の測定部位、例えば、腹部に押し当てて使用する。
【００６８】
本体部１１の前面には、操作部５１と表示部５２を有する操作表示パネル５や報知器ブザー２２等が設けられており、その内部には、図３及び図４から明らかなように、例えば、演算兼制御部２１や、電源部１８、記憶部４、インピーダンス測定部６が設けられている。グリップ部１３０及び１４０の後面すなわち腹部に押し付ける面には、図１に示すように、１つの共通電極Ｃと、複数の電流印加電極１３及び複数の電圧計測電極１４が設けられている。電流印加電極１３は、被験者の測定部位に電流を印加するための電極であり、電圧計測電極１４は、被験者の測定部位における電位差を計測するための電極である。
【００６９】
図１に示す実施例では、共通電極Ｃが左のグリップ部１３０に設けられているが、右のグリップ部１４０に設けられてもよい。また、電流印加電極１３及び電圧計測電極１４も、共通電極Ｃと対向する側に設けられていれば、図示したものとは反対側の左のグリップ部１３０に設けられてもよい。さらに、電流印加電極及び電圧計測電極は、左右グリップ部１３０、１４０だけでなく、図に示すように、その一部が本体部の後面側にも設けられてもよい。また、後面側に電極が設けられていないものであれば、本体部は表・裏反転が可能な可動性を持つものであってもよい。すなわち、表示パネル５が本体部の前面側でなく後面側に配置されていてもよい。
【００７０】
操作部５１は、身長、体重等を含む身体特定情報の入力等に使用することができ、操作表示パネル５は、各種結果、アドバイス情報等を、表示部５２を通じて表示する。この操作表示パネル５は、操作部５１と表示部５２とが一体となったタッチパネル式の液晶表示器として形成されもよい。
【００７１】
演算兼制御部２１は、操作部５１から入力された身体目方特定情報（体重等）と、計測したインピーダンスと、前記式１〜式１３とに基づいて、体幹部骨格筋組織横断面積量、体幹部骨格筋組織層インピーダンス、内臓脂肪組織インピーダンス、内臓脂肪組織量、内臓器組織量、内臓器組織インピーダンス、皮下脂肪組織量、体幹部内臓脂肪／皮下脂肪比等を演算したり、呼吸による変動の影響除去処理や、内臓器組織異常判定等の処理を行ったり、その他、各種の入出力、測定、演算等を行う。
【００７２】
電源部１８は、本装置の電気系統各部に電力を供給する。記憶部４は、身長、体幹長、腹周囲長等の身体特定情報や、前記の式１〜式１３等を記憶する他、後述するような健康指針アドバイスのための適当なメッセージ等も記憶する。
【００７３】
インピーダンス測定部６には、電流印加電極１３に電流を供給する電流源１２、電流印加電極１３を選択するための電流印加電極選択部２０ａ、電圧計測電極１４を選択するための電圧計測電極選択部２０ｂ、電圧計測電極１４によって測定された電位差を増幅する差動増幅器２３、フィルタリングのためのバンドパスフィルタ（ＢＰＦ）２４、検波部２５、増幅器２６、及び、Ａ／Ｄ変換器２７等が含まれる。
【００７４】
電流印加電極１３及び電圧計測電極１４は、ＳＵＳ材及び樹脂材表面を金属めっき処理等して実現されていてもよい。このタイプの電極は、金属電極表面に、保水性高分子膜をコ−ティングすることで、測定前に水分をふきつけるか、水にぬらして使用する。水にぬらすことにより、皮膚との電気的接触の安定性を確保することができる。また、特に図示しないが、粘着性貼り付けタイプの電極を用いることもできる。これは交換可能な粘着パッドを各電極のベ−ス電極面に貼り付けて皮膚との接触安定性を確保するタイプのものである。このタイプは、例えば、低周波治療器や心電図電極等でよく用いられており、測定後に取り外して廃棄するようなディスポ形態と、パッド表面が汚れて密着性が低下したり水分が蒸発したりした場合にのみ廃棄交換し、廃棄するまでの間はカバ−シ−ト等で保管する形態がある。電極部の長期保管や水分補給及び汚れ落し等に対して、脱着可能な構造とすることもできる。脱着構造は、心電図電極等で多用されているホック式や、フレキシブル基板用のコネクタ等が考えられる。
【００７５】
本発明の原理を説明するため、電気的な等価回路モデルを導入する。図５は、この等価回路の基になる体幹腹部の構造を模式的に示した図である。電気的特性の観点でみると、体幹部は、皮下脂肪組織層（ＦＳ）、骨格筋組織層（ＭＭ）、内臓器組織（ＶＭ）、その隙間に付着する内臓脂肪組織（ＦＶ）の各組織に分けることができる。
【００７６】
図６は、図５に示された体幹部の模式図を、臍高さにおける腹囲周横断面にてモデル化した図である。この図に示すように、体幹部断面は、最も外側にある皮下脂肪組織層（ＦＳ）と、そのすぐ内側にある骨格筋組織層（ＭＭ）と、最も内側にある内臓器組織（ＶＭ）とそれに取り巻く内臓脂肪組織（ＦＶ）を含む。
【００７７】
図７は、図６に示された模式図を更に電気的な等価回路として表したものである。ここでは一例として、臍の前後付近において、電流印加電極１３で電流（Ｉ）を印加し、その近傍に配置した電圧計測電極１４で電位差（Ｖ）を測定するものとする。等価回路とした場合、電気抵抗は、主として、臍前後付近の皮下脂肪組織層のインピーダンス（ＺＦＳ１、ＺＦＳ２）と、腹周囲の皮下脂肪組織層のインピーダンス（ＺＦＳ０）と、臍の左右各側の骨格筋組織層のインピーダンス（ＺＭＭ１、ＺＭＭ２）と、臍前後付近の内臓脂肪組織のインピーダンス（ＺＦＶ１、ＺＦＶ２）、更に、体幹部中心付近の内臓器組織のインピーダンス（ＺＶＭ）として現れる。
【００７８】
図８に、図７を更に簡略化した回路を示す。ＺＦＳ１とＺＦＳ２は略同じ大きさと考えられるため、ここでは、それらを一まとめにしてＺＦＳとして表し、また、ＺＭＭ１とＺＭＭ２、或いは、ＺＦＶ１とＺＦＶ２は、それぞれ、ＺＭＭ、ＺＦＶとして表した。また、導電性が他の領域に比べて著しく低いと考えられるＺＦＳ０は省略した。これを省略できる点は、前項「１．体幹部構成組織の電気的等価回路モデル化」（１）の記載から明らかであろう。
【００７９】
次に、図９を参照して、四電極法における電極間距離と広がり抵抗の関係を説明する。この図９は、電極間距離と広がり抵抗の関係を示したものである。図中、丸い点線で囲った部分３０は広がり抵抗領域である。電流印加電極からの電流は、印加後に徐々に被験者の体内に広がることになるが、印加直後の領域、即ち、広がり抵抗領域においては、それほど大きく広がっておらず、このため、これらの領域では電流密度が他の領域に比べて非常に高くなってしまう。したがって、電流印加電極１３と電圧計測電極１４をあまりに接近させて配置した場合には、電圧計測電極１４において測定される電位差は広がり抵抗領域における電流の影響を大きく受けてしまう。
【００８０】
例えば、前述した式２より明らかなように、臍付近における皮下脂肪組織層のインピーダンス（ＺＦＳ）と、骨格筋組織層のインピーダンス（ＺＭＭ）、内臓脂肪組織のインピーダンス（ＺＦＶ）、及び、体幹部中心付近の内臓器組織のインピーダンス（ＺＶＭ）の間には、
ZFS ＞＞(ZVM+ZFV) ＞＞ ZMM・・・式２
の関係がある。
したがって、Ｉ−Ｖ電極間距離がほとんど無く近接して配置されたときの電位差計測インピーダンスΣＺ１は、
ΣＺ１＝２＊ＺＦＳ＋ＺＭＭ／／（ＺＶＭ＋ＺＦＶ）≒２＊ＺＦＳ
となる。これにより明らかなように、広がり抵抗の影響でＺＦＳが数倍に増幅されるため、ここでは、ＺＦＳによる情報が支配的となる。
【００８１】
広がり抵抗の影響を小さくするには、電流印加電極と電圧計測電極の間の距離を大きくする必要がある。例えば、Ｉ−Ｖ電極間距離を１０ｃｍ程度確保して配置した場合の電位差計測インピーダンスΣＺ２は、
ΣＺ２≒２＊ＺＦＳ＋ＺＭＭ／／（ＺＶＭ＋ＺＦＶ）
となる。Ｉ−Ｖ電極間距離を広げることによって、広がり抵抗の影響は多少小さくなっているが、この程度離しただけでは、まだ、ＺＦＳの情報が支配的である。
【００８２】
広がり抵抗の影響を更に小さくするため、図１０に示すように、Ｉ−Ｖ電極間及びＶ−Ｖ電極間相互の距離が各々１／３程度になるよう１０ｃｍ程度確保して配置した場合を考える。この場合の電位差計測インピーダンスΣＺ３は、
ΣＺ３≒２＊ＺＦＳ＋ＺＭＭ／／（ＺＶＭ＋ＺＦＶ）である。
このとき電極間で計測される電圧降下の関係は、おおよそ次のようになる。
Ｖ１＝Ｉ＊ＺＭＭ／／（ＺＶＭ＋ＺＦＶ）
Ｖ２＝Ｖ３＝Ｉ＊２＊ＺＦＳ
Ｖ１：（Ｖ２＋Ｖ３）≒１〜２：１０〜２０＝Ｓ：Ｎ
ここで、Ｓの１〜２やＮの１０〜２０のバラツキは、皮下脂肪組織層の厚みの個人差と骨格筋組織層の発達具合によるものである。この結果からも分かるように、たとえ電極間距離を調節しても、十分なＳ／Ｎが確保できるとは言いがたい。
【００８３】
また、ほとんどの電流は骨格筋組織層で支配的に通電されるため、内臓器組織と内臓脂肪組織の複合組織層への通電感度を十分に確保することはできない。即ち、骨格筋組織層に流れる電流をＩ１、測定対象である内臓器組織と内臓脂肪組織に流れる電流をＩ２とすれば、
Ｖ１＝Ｉ＊ＺＭＭ／／（ＺＶＭ＋ＺＦＶ）＝Ｉ１＊ＺＭＭ＝Ｉ２＊（ＺＶＭ＋ＺＦＶ）
Ｉ＝Ｉ１＋Ｉ２
となり、よって、
ＺＭＭ：（ＺＶＭ＋ＺＦＶ）＝Ｉ２：Ｉ１≒１：２〜５
となる。これより明らかなように、たとえ広がり抵抗の影響を排除できたとしても、骨格筋組織層に流れる電流は内臓器組織と内臓脂肪組織に流れる電流の２〜５倍にも及ぶため、この結果、Ｓ／Ｎ特性は更に悪くなる。このように、体幹部のような太短い測定部位においては、たとえ電極間距離を調整しても、電流電極間距離で上限が決まってしまうことから、Ｓ／Ｎ特性の改善には限界がある。
【００８４】
本発明は、四電極法における、四電極のうち、腹部の一端側の電流印加電極と電圧計測電極を、広い電極面積を有する一電極で共用可能とする、三電極法を採用している。なお、この共用可能な電極を上述したように共通電極Ｃと称する。電極面積を広げることで、皮膚との接触面積抵抗による影響と電流印加電極直下の広がり抵抗の影響を軽減及び無視できる。
【００８５】
本発明の一実施例によれば、この共通電極Ｃに対する電極面積への制限条件は、次の通りである。すなわち、電極面積は、３６ｃｍ2以上（一般の電極サイズ２．０＊２．０＝４．０ｃｍ2以上の９倍）であり、腹囲周方向の電極幅は、腹囲周の１／１０程度からそれ以上であり、体幹長さ方向に対しての電極長さは、３ｃｍ以上で体幹長の１／１０程度までである。また、共通電極Ｃ以外の電流印加電極１３及び電圧計測電極１４は、一般電極サイズ２．０＊２．０＝４．０ｃｍ2とする。
【００８６】
図１１〜図２１に、本発明の体幹部脂肪測定方法における電極配置例を示す。図１１〜図２１は、体幹腹部の横断面を示しており、臍Ａに対して左側の側腹部に共通電極Ｃが配置され、右側の側腹部に電流印加電極１３a〜１３ｅ及び電圧計測電極１４ｃ〜１４ｅが配置されている。
【００８７】
図１１〜図１４は、体幹部脂肪組織のうち皮下脂肪組織を計測するための電極配置例を示している。図１１〜図１４において、電流印加電極１３a、１３ｃ、１３ｄ及び１３ｅはそれぞれ臍横部、肩甲骨下部、側腹部及び腱膜部に配置されており、電圧計測電極１４a、１４ｃ、１４ｄ及び１４ｅは、これらの電流印加電極直下の広がり抵抗の影響が支配的な電流印加電極に近接した位置に配置されている。
【００８８】
図１１の電極配置例では、共通電極Ｃと電流印加電極１３ａとの間に電流Ｉ１を印加したときの共通電極Ｃと電圧計測電極１４ａの間の電位差Ｖ１を測定することによって、臍横部における皮下脂肪組織層インピーダンスが得られる。
【００８９】
同様に、図１２の電極配置例では、共通電極Ｃと電流印加電極１３ｃとの間に電流Ｉ３を印加したときの共通電極Ｃと電圧計測電極１４ｃの間の電位差Ｖ３を測定することによって、肩甲骨下部における皮下脂肪組織層インピーダンスが得られる。
【００９０】
同様に、図１３の電極配置例では、共通電極Ｃと電流印加電極１３ｄとの間に電流Ｉ４を印加したときの共通電極Ｃと電圧計測電極１４ｄの間の電位差Ｖ４を測定することによって、側腹部における皮下脂肪組織層インピーダンスが得られる。
【００９１】
同様に、図１４の電極配置例では、共通電極Ｃと電流印加電極１３ｅとの間に電流Ｉ５を印加したときの共通電極Ｃと電圧計測電極１４ｅの間の電位差Ｖ５を測定することによって、腱膜部における皮下脂肪組織層インピーダンスが得られる。
【００９２】
図１５〜図１８は、体幹部脂肪組織のうち内臓脂肪組織を計測するための電極配置例を示している。図１５〜図１８において、電流印加電極１３a及び１３ｃはそれぞれ臍横部及び肩甲骨下部に配置されており、電圧計測電極１４ａ、１４ｂ及び１４ｃは、これらの電流印加電極による広がり抵抗の影響を回避できる距離を確保した位置に配置されている。
【００９３】
図１５の電極配置例では、共通電極Ｃと電流印加電極１３ａとの間に電流Ｉ１を印加したときの共通電極Ｃと電圧計測電極１４ｂの間の電位差Ｖ２を測定することによって、内臓脂肪組織量を求めるための体幹部インピーダンスが得られる。
【００９４】
同様に、図１６の電極配置例では、共通電極Ｃと電流印加電極１３ａとの間に電流Ｉ１を印加したときの共通電極Ｃと電圧計測電極１４ｃの間の電位差Ｖ３を測定することによって、内臓脂肪組織量を求めるための体幹部インピーダンスが得られる。
【００９５】
同様に、図１７の電極配置例では、共通電極Ｃと電流印加電極１３ｃとの間に電流Ｉ３を印加したときの共通電極Ｃと電圧計測電極１４ｂの間の電位差Ｖ２を測定することによって、内臓脂肪組織量を求めるための体幹部インピーダンスが得られる。
【００９６】
同様に、図１８の電極配置例では、共通電極Ｃと電流印加電極１３ｃとの間に電流Ｉ３を印加したときの共通電極Ｃと電圧計測電極１４ａの間の電位差Ｖ１を測定することによって、内臓脂肪組織量を求めるための体幹部インピーダンスが得られる。
【００９７】
図１９〜図２１は、体幹部脂肪組織すなわち皮下脂肪組織層と内臓脂肪組織の両方を計測するための電極配置例を示している。図１９〜図２１において、電流印加電極１３a及び１３ｃはそれぞれ臍横部及び肩甲骨下部に配置されており、電圧計測電極１４a、１４ｃはそれぞれ、これらの電流印加電極１３a及び１３ｃ直下の広がり抵抗の影響が支配的な電流印加電極１３a及び１３ｃに近接した位置に配置されている。他方、電圧計測電極１４ｂは、これらの電流印加電極１３a及び１３ｃによる広がり抵抗の影響を回避できる距離を確保した位置に配置されている。
【００９８】
図１９の電極配置例では、共通電極Ｃと電流印加電極１３ａとの間に電流Ｉ１を印加したときの、共通電極Ｃと電圧計測電極１４ａの間の電位差Ｖ１と共通電極Ｃと電圧計測電極１４ｂの間の電位差Ｖ２を測定している。そして、電位差Ｖ１から電位差Ｖ２を引いたΔＶ＝Ｖ１−Ｖ２を求めることによって、臍横部における皮下脂肪組織層インピーダンスを得ている。ΔＶは、電圧計測電極１４ａと１４ｂ間の電位差Ｖ1-2を直接測定して求めることもできる。また、電位差Ｖ２から、内臓脂肪組織量を求めるための体幹部インピーダンスを得ている。
【００９９】
図１０について説明したように、Ｉ−Ｖ電極間距離がほとんど無く近接して配置されたときの電位差計測インピーダンスは、
ΣＺ３≒２＊ＺＦＳ＋ＺＭＭ／／（ＺＶＭ＋ＺＦＶ）である。したがって、これを上記Ｖ１、Ｖ２に当てはめると、
Ｖ１＝Ｉ１＊ΣＺ３≒Ｉ＊２＊ＺＦＳ＋Ｉ＊ＺＭＭ／／（ＺＶＭ＋ＺＦＶ）
Ｖ２＝Ｉ＊ＺＭＭ／／（ＺＶＭ＋ＺＦＶ）
となる。そこで、ΔＶ＝Ｖ１−Ｖ２＝Ｉ＊２＊ＺＦＳを求めることにより、上記図１５〜図１８の配置例においてＶ１だけを使用するよりも更に精度の高い皮下脂肪組織層インピーダンスを得ることができる。
【０１００】
同様に、図２０の電極配置例では、共通電極Ｃと電流印加電極１３ｃとの間に電流Ｉ３を印加したときの、共通電極Ｃと電圧計測電極１４ｃの間の電位差Ｖ３と共通電極Ｃと電圧計測電極１４ｂの間の電位差Ｖ２を測定している。そして、電位差Ｖ３から電位差Ｖ２を引いた差ΔＶ＝Ｖ３−Ｖ２を求めることによって、肩甲骨下部における皮下脂肪組織層インピーダンスを得ている。ΔＶは、電圧計測電極１４ｃと１４ｂ間の電位差Ｖ3-2を直接測定して求めることもできる。また、電位差Ｖ２から、内臓脂肪組織量を求めるための体幹部インピーダンスを得ている。
【０１０１】
図２１の電極配置例では、電流印加電極及び電圧計測電極がそれぞれ２個づつ配置されている。この電極配置例では、共通電極Ｃと電流印加電極１３ａとの間に電流Ｉ１を印加したときの、共通電極Ｃと電圧計測電極１４ａの間の電位差Ｖ１（Ｉ１）と共通電極Ｃと電圧計測電極１４ｃの間の電位差Ｖ３（Ｉ１）を測定している。そして、電位差Ｖ３（Ｉ１）から電位差Ｖ２（Ｉ１）を引いた差ΔＶ＝Ｖ３（Ｉ１）−Ｖ２（Ｉ１）を求めることによって、臍横部における皮下脂肪組織層インピーダンスを得ている。ΔＶは、電圧計測電極１４ａと１４ｃ間の電位差ΔＶ（Ｉ１）を直接測定して求めることもできる。また、電位差Ｖ３（Ｉ１）から、内臓脂肪組織量を求めるための体幹部インピーダンスを得ている。
【０１０２】
さらに、図２１の電極配置例では、共通電極Ｃと電流印加電極１３ｃとの間に電流Ｉ３を印加したときの、共通電極Ｃと電圧計測電極１４ｃの間の電位差Ｖ３（Ｉ３）と共通電極Ｃと電圧計測電極１４ａの間の電位差Ｖ１（Ｉ３）を測定している。そして、電位差Ｖ３（Ｉ３）から電位差Ｖ１（Ｉ３）を引いた差ΔＶ＝Ｖ３（Ｉ３）−Ｖ１（Ｉ３）を求めることによって、肩甲骨下部における皮下脂肪組織層インピーダンスを得ている。ΔＶは、電圧計測電極１４ａと１４ｃ間の電位差ΔＶ（Ｉ３）を直接測定して求めることもできる。また、電位差Ｖ３（Ｉ１）及びＶ１（Ｉ３）から、内臓脂肪組織量を求めるための体幹部インピーダンスを得ている。
【０１０３】
次に、図２２に示す基本フローチャートと図２３〜図２８に示すサブルーチンフローチャートを参照して、図１〜図４及び図１１〜図２１に示す本発明の実施例での体幹内臓脂肪測定装置の操作及び動作について説明する。
【０１０４】
図２２に示す基本フローチャートにおいては、先ず、操作部５１における電源スイッチ（図示していない）がオンされると、電源部１８から電気系統各部に電力を供給し、表示部５２により身長等を含む身体特定化情報（身長、体重、性別、年齢等）を入力するための画面が表示される（ステップＳ１）。
【０１０５】
続いて、この画面にしたがって、ユーザは、操作部５１から身長、体重、性別、年齢等を入力する（ステップＳ２）。この場合において、体重については、操作部５１から入力してもよいが、本体部１１に接続された体重測定装置（図示されていない）により測定したデータを自動的に入力して、演算兼制御部２１により身体目方特定情報（体重）を演算するようにしてもよい。これら入力値は、記憶部４に記憶される。
【０１０６】
次に、ステップＳ３にて、体幹長、腹囲長等の形態計測実測値を入力するか否かの判断を行い、それら形態計測実測値を入力する場合には、ステップＳ４にて、形態計測を実施して、体幹長、腹囲長等の実測値を操作部５１から入力し、ステップＳ６へ移行する。ステップＳ３において、形態計測実測値を入力しないと判断する場合には、ステップＳ５に移行する。これら入力値も、記憶部４に記憶される。同様に、以下の処理において得られる数値情報等は、記憶部４に記憶される。
【０１０７】
ステップＳ５において、演算兼制御部２１は、記憶部４に記憶された身長、体重、性別、年齢等の身体特定化情報から、体幹長、腹囲長等を推定する形態計測情報推定処理（例えば、人間身体情報データベースから作成する検量線使用）を行う。
【０１０８】
続いて、ステップＳ６において、インピーダンス測定部６により、体幹部インピーダンス（Ｚｘ）計測処理を行う。この体幹部インピーダンス計測処理については、図２６等に示すサブルーチンフローチャートを参照して後述する。
【０１０９】
次に、ステップＳ７において、演算兼制御部２１により、体幹部骨格筋組織横断面積量（ＡＭＭ）の推定処理を行う。この演算処理は、例えば、記憶部４に記憶された身長Ｈ、体重Ｗ、年齢Ａｇｅを用いて、前述の式５に基づいて行われる。
【０１１０】
次に、ステップＳ８において、演算兼制御部２１により、体幹部骨格筋組織層インピーダンス（ＺＭＭ）の推定処理を行う。このＺＭＭは、記憶部４に記憶された身長Ｈと、ステップＳ７で求めたＡＭＭとを用いて、前述の式６に基づいて行われる。
【０１１１】
次に、ステップＳ９は、演算兼制御部２１により、皮下脂肪組織量（ＡＦＳ）の推定処理を行うものである。このステップＳ９については、図２３に示すサブルーチンフローチャートを参照して後で詳述する。
【０１１２】
ステップＳ１０は、演算兼制御部２１により、内臓器組織量（ＡＶＭ）及び内臓器組織インピーダンス（ＺＶＭ）の推定処理を行うものである。このステップＳ１０については、図２４に示すサブルーチンフローチャートを参照して後で詳述する。
【０１１３】
ステップＳ１１は、演算兼制御部２１により、内臓脂肪組織インピーダンス（ＺＦＶ）及び内臓脂肪組織量（ＡＦＶ）の推定処理を行うものである。このステップＳ１１については、図２５に示すサブルーチンフローチャートを参照して後で詳述する。
【０１１４】
次に、ステップＳ１２において、演算兼制御部２１により、内臓脂肪／皮下脂肪比（Ｖ／Ｓ）の演算処理を行う。この処理は、記憶部４に記憶された前述した式１３に従って行われる。
【０１１５】
次に、ステップＳ１３において、演算兼制御部２１により、体格指数（ＢＭＩ）の演算処理を行う。この演算処理は、記憶部４に記憶された体重Ｗと身長Ｈから次の式にて算出され得る。
ＢＭＩ＝Ｗ／Ｈ2
【０１１６】
更に、ステップＳ１４において、演算兼制御部２１により、体幹部体脂肪率（％Ｆａｔｔ）の演算処理を行う。この演算処理は、記憶部４に記憶された皮下脂肪組織量（ＡＦＳ）、内臓脂肪組織量（ＡＦＶ）、体幹部骨格筋組織横断面積量（ＡＭＭ）、及び、内臓器組織量（ＡＶＭ）から次の式にて算出されるものである。
％Ｆａｔｔ＝（ＡＦＳ＋ＡＦＶ）／［（ＡＦＳ＋ＡＦＶ）＋ＡＭＭ＋ＡＶＭ］＊１００
【０１１７】
次に、ステップＳ１５において、演算兼制御部２１により、内臓脂肪率（％ＶＦａｔ）の演算処理が行われる。この処理は、前述の演算処理により算出され記憶部４に記憶された体幹部体脂肪率（％Ｆａｔｔ）、内臓脂肪／皮下脂肪比（Ｖ／Ｓ）から次の式にて行われる。
％ＶＦａｔ=％Ｆａｔｔ＊（Ｖ／Ｓ）／[（Ｖ／Ｓ）＋１]
【０１１８】
最後に、ステップＳ１６において、演算兼制御部２１は、前述したような演算処理にて求められた内臓脂肪組織情報（ＡＦＶ、％ＶＦａｔ）、体組成情報（％Ｆａｔｔ、ＡＭＭ、ＡＦＳ、ＡＶＭ）、体格指数（ＢＭＩ）や、後述する処理によって得られるアドバイス指針等を、表示部５２に表示させるような表示処理を行う。これにより、一連の処理を終了する（ステップＳ１７）。
【０１１９】
次に、前述のステップＳ９の皮下脂肪組織量（ＡＦＳ）の推定処理について、図２３のサブルーチンフローチャートを参照して詳述する。この推定処理は、ステップＳ１８にて、記憶部４に記憶された諸数値等を用いて行われるが、本発明では、先ず、次の式にて皮下脂肪組織層インピーダンスＺＦＳを算出する。
ＺＦＳ＝ａａ１＊ＺＦＳ１＋ｂｂ１＊ＺＦＳ２＋ｃｃ１
ここで、ａａ１、ｂｂ１、ｃｃ１は、定数であり、男女で別の値を与える。そして、前述の式１２に基づいて、皮下脂肪組織量ＡＦＳを算出する。
【０１２０】
次に、前述のステップＳ１０の内臓器組織量（ＡＶＭ）及び内臓器組織インピーダンス（ＺＶＭ）の推定処理について、図２４のサブルーチンフローチャートを参照して詳述する。この推定処理は、ステップＳ１９において、記憶部４に記憶された諸数値及び前述の式７を用いて内臓器組織量（ＡＶＭ）を算出し、ステップＳ２０において、記憶部４に記憶された諸数値及び前述の式８を用いて実行される。
【０１２１】
次に、前述のステップＳ１１の内臓脂肪組織インピーダンス（ＺＦＶ）及び内臓脂肪組織量（ＡＦＶ）の推定処理について、図２５のサブルーチンフローチャートを参照して詳述する。この推定処理は、ステップＳ２１において、記憶部４に記憶された諸数値及び前述の式１０を用いて内臓脂肪組織インピーダンス（ＺＦＶ）を算出し、ステップＳ２２において、記憶部４に記憶された身長Ｈ及び算出した内臓脂肪組織インピーダンス（ＺＦＶ）及び前述の式１１を用いて内臓脂肪組織量（ＡＦＶ）を算出するものである。
【０１２２】
次に、ステップＳ６の体幹部インピーダンス（Ｚｘ）計測処理について、第１の実施形態を示す図２６のサブルーチンフローチャートを参照して、詳述する。この第１形態においては、前項７．（１２）及び（１３）において説明したような「呼吸による変動の影響除去処理」及び「飲食及び膀胱等への水分貯留（尿等）による異常値判定処理」を行うものである。先ず、ステップＳ２３において、演算兼制御部２１は、操作部５１等からの指示に基づいて、カウンター等の初期設定、例えば、体幹部のインピーダンスＺｔｍの測定データのサンプル数の初期設定を行う。
【０１２３】
続いて、ステップＳ２４において、演算兼制御部２１は、測定タイミングか否かの判定を行う。そして、測定タイミングと判定された場合には、ステップＳ２５ａにおいて、演算兼制御部２１は、体幹部インピーダンス（Ｚｔｍ）測定電極配置設定処理を行い、体幹部インピーダンス（Ｚｔｍx）計測処理を行う。更に、ステップＳ２５ｂにおいて、皮下脂肪組織層インピーダンス（ＺＦＳ１）測定電極配置設定処理を行い、皮下脂肪組織層インピーダンス（ＺＦＳ１x）の計測処理を行う。また、ステップＳ２５ｃにおいて、皮下脂肪組織層インピーダンス（ＺＦＳ２）測定電極配置設定処理を行い、皮下脂肪組織層インピーダンス（ＺＦＳ２x）計測処理を行う。
【０１２４】
一方、ステップＳ２４において測定タイミングでないと判定された場合には、ステップＳ２６に移行して、体幹部インピーダンス（Ｚｔｍx）と皮下脂肪組織層インピーダンス（ＺＦＳ１x、ＺＦＳ２x）に対して、計測インピーダンス（Ｚｘ）データスムージング処理（移動平均処理等）、即ち、Ｚx＝（Ｚx-1＋Ｚx）／２を行う。それから、ステップＳ２７において、体幹部インピーダンス計測データ呼吸変動補正処理を行う。この補正処理については、図２７のサブルーチンフローチャートを参照して後述する。なお、皮下脂肪組織層インピーダンス（ＺＦＳ１x、ＺＦＳ２x）は、呼吸変動の影響を受けがたいため、体幹部インピーダンスのような補正処理は行われない。
【０１２５】
続いて、ステップＳ２８にて、演算兼制御部２１は、各部位毎の計測インピーダンスの時系列安定性確認処理を行う。これは、ステップＳ２７の体幹部インピーダンス計測データ呼吸変動補正処理後の各値が所定回数所定変動以内の値に収束したかどうかを判定することによって行われる。
【０１２６】
ステップＳ２９において、演算兼制御部２１は、測定したＺｔｍx及びＺＦＳxが安定条件を満足するか否かの判定を行う。この判定は、呼吸周期毎の呼吸の中央値が規定回数規定以内の安定域に入った時点で、呼吸中央値確定と判断するようなものである。このステップＳ２９にて、安定条件が満足されたと判定される場合には、ステップＳ３０に移行して、確定した中央値のインピーダンス値を体幹部インピーダンス値や皮下脂肪組織層インピーダンスとして、最終安定条件判定値を測定結果値として記憶部４に登録する。すなわち、安定条件を満足した、ＺｔｍxをＺｔｍとして、ＺＦＳ１xをＺＦＳ１として、ＺＦＳ２xをＺＦＳ２として、それぞれ登録する。一方、ステップＳ２９において、安定条件が満足されないと判定される場合には、ステップＳ２４に戻って同様の処理が繰り返される。
【０１２７】
ステップＳ３０に続いて、ステップＳ３１において、演算兼制御部２１は、飲食及び膀胱尿貯留等による異常値判定処理を行い、更に、ステップＳ３２において、測定の完了を報知器ブザー２２（図３参照）等を用いてブザー等で報知し、測定を完了する。尚、ステップＳ３１の異常値判定処理については、図２８のサブルーチンフローチャートを参照して後述する。
【０１２８】
次に、ステップＳ２７の体幹部インピーダンス計測データ呼吸変動補正処理について、図２７のサブルーチンフローチャートを参照して、詳述する。先ず、ステップＳ３３において、演算兼制御部２１は、ステップＳ２７にて処理後の時系列データから変極点検知処理を行う。ステップＳ３４において、変極点か否かの判定を行う。これは、前後の微係数又は差分値の極性変化位置のデータを検知することにより行われる。ステップＳ３４において変極点でないと判定された場合には、この呼吸変動補正処理は終了する。一方、ステップＳ３４にて変極点であると判定される場合には、ステップＳ３５に進み、最大値か否かの判定がなされる。これは、最大値と最小値の振り分けを行うステップである。最大値でない場合には、ステップＳ３６にて、記憶部４に記憶された次の式にて最小値判定データ移動平均化処理が行われる。
[Ｚｔｍ]ｍｉｎx←（[Ｚｔｍ]ｍｉｎx-1＋[Ｚｔｍ]ｍｉｎx）／２
【０１２９】
ステップＳ３５において最大値と判定される場合には、ステップＳ３７において、記憶部４に記憶された次の式にて最大値判定データ移動平均化処理が行われる。
[Ｚｔｍ]ｍａｘx←（[Ｚｔｍ]ｍａｘx-1＋[Ｚｔｍ]ｍａｘx）／２
【０１３０】
続いて、ステップＳ３８において、一呼吸周期分の最大値と最小値データが確保されたかの判定がなされる。ステップＳ３８において、そのデータが確保されたと判定された場合には、ステップＳ３９にて、記憶部４に記憶された次の式にて呼吸変動中央値演算処理（最大値と最小値データの平均値演算）がなされる。
Ｚｔｍx←（[Ｚｔｍ]ｍａｘx＋[Ｚｔｍ]ｍｉｎx）／２
【０１３１】
次に、ステップＳ３１の飲食及び膀胱尿貯留等による異常値判定処理について、図２８のサブルーチンフローチャートを参照して、詳述する。先ず、ステップＳ４０において、演算兼制御部２１は、記憶部４に記憶された次の式にて、体幹部インピーダンス（Ｚｔｍ）が正常許容範囲内かのチェックを行う。
Ｍｅａｎ−３ＳＤ≦Ｚｔｍ≦Ｍｅａｎ＋３ＳＤ
ここで、許容値例としては、２６．７±４．８（Ｍｅａｎ±ＳＤ）に対して、±３ＳＤが考えられる。
【０１３２】
ステップＳ４１において、体幹部インピーダンスが許容範囲内かの判定がなされる。許容範囲内でないと判定される場合には、ステップＳ４２に移行して、演算兼制御部２１にて、体幹部（腹部）コンディション異常に関するメッセージ報知処理がなされ、表示部５２に適切なアドバイスの表示等がなされる。このアドバイスとしては、例えば、「体幹コンディション異常につき、排便、排尿等の準備処理を実施」等の報知が考えられる。また、準備処理後も同様の判定結果となる場合は、異常値を用いて測定を完了させ、測定の中止はしないようにすることもできる。
【０１３３】
ステップＳ４１において許容範囲内で判定される場合には、ステップＳ４３において、演算兼制御部２１は、体幹部（腹部）コンディション正常に関するメッセージ報知処理がなされ、表示部５２に適切なアドバイスの表示等がなされる。このアドバイスとしては、例えば、「体幹コンディション正常」等の報知が考えられる。
【０１３４】
このような操作及び動作にて、本発明によれば、体幹部（体幹腹部）の内臓脂肪組織情報を求めることができ、しかも、呼吸による変動の影響除去処理や飲食及び膀胱等への水分貯留（尿等）による異常判定処理を行い、それに応じたアドバイス情報も提供できる。なお、前述の実施例では、体幹部内臓脂肪組織情報として脂肪率として求めるものとしたが、本発明は、これに限らず、適当な変換式等を用いることにより、横断面積量や、体積量や重量等として求めることができるものである。
【図面の簡単な説明】
【０１３５】
【図１】本発明による体幹内臓脂肪測定装置の一実施例の外観を示す概略斜視図である。
【図２】図１の装置を用いて体幹内臓脂肪を測定する場合における使用態様を説明するための概略図である。
【図３】本発明による体幹内臓脂肪測定装置の一実施例の構成を示すブロック図である。
【図４】本発明による体幹内臓脂肪測定装置の別の実施例の構成を示すブロック図である。
【図５】体幹腹部の構造を模式的に示す図である。
【図６】図５に示された体幹腹部の模式図を、臍高さにおける腹囲周横断面にてモデル化した図である。
【図７】図６のモデル図を電気的等価回路として表した図である。
【図８】図７の回路を簡略化して示した図である。
【図９】電極間距離と広がり抵抗の関係を説明する図である。
【図１０】電極間距離と広がり抵抗の関係を説明する図である。
【図１１】皮下脂肪組織計測のための電極配置の一例を示す体幹腹部の横断面図である。
【図１２】皮下脂肪組織計測のための別の電極配置例を示す体幹腹部の横断面図である。
【図１３】皮下脂肪組織計測のための更に別の電極配置例を示す体幹腹部の横断面図である。
【図１４】皮下脂肪組織計測のための更に別の電極配置例を示す体幹腹部の横断面図である。
【図１５】内臓脂肪組織計測のための電極配置の一例を示す体幹腹部の横断面図である。
【図１６】内臓脂肪組織計測のための別の電極配置例を示す体幹腹部の横断面図である。
【図１７】内臓脂肪組織計測のための更に別の電極配置例を示す体幹腹部の横断面図である。
【図１８】内臓脂肪組織計測のための更に別の電極配置例を示す体幹腹部の横断面図である。
【図１９】皮下脂肪組織計測及び内臓脂肪組織計測のための電極配置の一例を示す体幹腹部の横断面図である。
【図２０】皮下脂肪組織計測及び内臓脂肪組織計測のための別の電極配置例を示す体幹腹部の横断面図である。
【図２１】皮下脂肪組織計測及び内臓脂肪組織計測のための更に別の電極配置例を示す体幹腹部の横断面図である。
【図２２】本発明の一実施例による体幹部脂肪測定用の基本フローチャートを示す図である。
【図２３】図２２の基本フローのサブルーチンとしての皮下脂肪組織量の推定処理フローを示す図である。
【図２４】図２２の基本フローのサブルーチンとしての内臓器組織量及び内臓器組織インピーダンスの推定処理フローを示す図である。
【図２５】図２２の基本フローのサブルーチンとしての内臓脂肪組織インピーダンス及び内臓脂肪組織量の推定処理フローを示す図である。
【図２６】図２２の基本フローのサブルーチンとしての体幹部インピーダンス計測処理フローを示す図である。
【図２７】図２６の体幹部インピーダンス計測処理フローのサブルーチンとしての体幹部インピーダンス計測データ呼吸変動補正処理フローを示す図である。
【図２８】図２６の体幹部インピーダンス計測処理フローのサブルーチンとしての飲食及び膀胱尿貯留等による異常値判定処理フローを示す図である。
【符号の説明】
【０１３６】
１  体幹内臓脂肪測定装置
４  記憶部
５  操作表示パネル
６  インピーダンス測定部
１１  本体部
１２  電流源
１３、１３ａ、１３ｂ、１３ｃ、１３ｄ、１３ｅ  電流印加電極
１４、１４ａ、１４ｂ、１４ｃ、１４ｄ、１４ｅ  電圧計測電極
２０ａ  電流印加電極選択部
２０ｂ  電圧計測電極選択部
２１  演算兼制御部
２３  差動増幅器
２４  バンドパスフィルタ
２５  検波部
２６  増幅器
２７  Ａ／Ｄ変換器
３０  広がり抵抗領域
５１  操作部
５２  表示部
１３０  グリップ部
１４０  グリップ部
Ｃ  共通電極
Ｇ  グリップ
Ａ  臍
【図１】
0004679993.tif 000002
【図２】
0004679993.tif 000003
【図３】
0004679993.tif 000004
【図４】
0004679993.tif 000005
【図５】
0004679993.tif 000006
【図６】
0004679993.tif 000007
【図７】
0004679993.tif 000008
【図８】
0004679993.tif 000009
【図９】
0004679993.tif 000010
【図１０】
0004679993.tif 000011
【図１１】
0004679993.tif 000012
【図１２】
0004679993.tif 000013
【図１３】
0004679993.tif 000014
【図１４】
0004679993.tif 000015
【図１５】
0004679993.tif 000016
【図１６】
0004679993.tif 000017
【図１７】
0004679993.tif 000018
【図１８】
0004679993.tif 000019
【図１９】
0004679993.tif 000020
【図２０】
0004679993.tif 000021
【図２１】
0004679993.tif 000022
【図２２】
0004679993.tif 000023
【図２３】
0004679993.tif 000024
【図２４】
0004679993.tif 000025
【図２５】
0004679993.tif 000026
【図２６】
0004679993.tif 000027
【図２７】
0004679993.tif 000028
【図２８】
0004679993.tif 000029